(57)【特許請求の範囲】
【請求項１】
両面の各々に紙幣の入金部と出金部を配置した紙幣処理装置において、前記入金部の各々に接続されて延設される二つの入金搬送路と、二つの前記入金搬送路の末端を両側に連結するように設けられた紙幣識別計数部と、前記紙幣識別計数部の一方側に連結されて識別された紙幣を一方側の紙幣収納庫に搬送する一方の紙幣搬送路と、前記紙幣識別計数部の他方側に連結されて識別された紙幣を他方側の紙幣収納庫に搬送する他方の紙幣搬送路と、一方及び他方の紙幣搬送路の各々に接続された前記出金部と、を備え、両面の何れか一方に配置された入金部から入金された紙幣を、前記紙幣識別計数部により識別、計数して一方側又は他方側の何れかの前記紙幣収納庫に収納し、一方側又は他方側の何れかの前記紙幣収納庫から繰り出された紙幣を、一方又は他方の前記紙幣搬送路、又は一方又は他方の前記紙幣搬送路及び前記紙幣識別計数部とを介して前記両面の何れか一方に配置される前記出金部に出金することを特徴とする紙幣処理装置。
【発明の詳細な説明】
【技術分野】
【０００１】
本発明は、入金口に入金された紙幣を内部に取り込んで収容したり、内部に収容した紙幣を釣札等として出金したりする紙幣処理装置に関し、特に装置の両側に入出金口を備えた紙幣処理装置に関する。
【背景技術】
【０００２】
近年、ガソリンスタンドや駐車場などの精算装置には、清算処理の効率化や省スペース化を図るために２台の貨幣処理装置を背中合わせに設置して筐体の両面から貨幣の入出金を行う貨幣取扱装置が導入されている。
【０００３】
しかしながら、このような貨幣取扱装置は、概ね従来の貨幣処理装置を一つの筐体内に２台組み込んだ構成を備えるものであるから、両面のそれぞれの操作部に設けられた入出金部、操作表示部の他に、それぞれの操作部に対応する貨幣搬送手段、識別手段、貨幣金庫等の構成要素が２台分設けられるため、部品点数が多く、また装置が大型化する問題を有していた。
【０００４】
このような問題に対応するため、紙幣や硬貨の入出金部、表示部等から成る操作部を対向する両側の２面に設ける一方で、貨幣の搬送手段や収納手段を共通化して部品点数を減らした貨幣処理装置が提案されている。このような貨幣処理装置の一例として、先に公開された特開２００７-３２３２３２号公報（特許文献１）に記載されるような紙幣処理装置が知られている。この特許文献1に記載される紙幣処理装置においては、一方側の面に設けられる紙幣入金口、又は他方側の面に設けられる紙幣入金口からそれぞれ挿入された紙幣は、共通搬送路と切り替え機構を通過して、共通の低額紙幣収納部と高中額紙幣収納部に区分して収納され、その低額紙幣収納部に収納されている低額紙幣は、その共通搬送路と切り替え機構を通過して、出金集積部に収納され、その出金集積部に収納されている低額紙幣は、一方側の面の紙幣出金口に搬送され、或いは、切り替え機構が切り替えられ、共通搬送路を搬送されて他方側の面の紙幣出金口に出金されるものである。これにより、低額紙幣収納部に収納されている低額紙幣は、出金集積部に収納されるので、紙幣処理装置において、両面側から多数枚の低額紙幣を迅速に出金できる態勢を整えるとともに、一部の構成要素を共通化することで装置を小型化した紙幣処理装置を提供することができるというものである。
【先行技術文献】
【特許文献】
【０００５】
【特許文献１】特開２００７−３２３２３２号公報
【発明の概要】
【発明が解決しようとする課題】
【０００６】
ところで、このような紙幣処理装置がガソリンスタンド等で使用される場合は、給油装置等に組み込まれて使用されるからその形状が小型であることが望ましく、また入金された紙幣を釣札等として効率的に利用することで紙幣の補充・回収の手間を省くことができることが望ましい。なお、この場合に給油作業は瞬時に完了するものではないから、それに対応する紙幣処理装置の紙幣処理速度は特に高速である必要はない。
【０００７】
ここで特許文献１に記載の紙幣処理装置においては、両側の紙幣入出金口に対して共通の紙幣搬送路が設けられるが、紙幣入金口に対してはそれぞれに対応して紙幣識別部が２箇所設けられている。したがって、入金紙幣の識別は迅速に行われるが、構成要素の共通化は部分的であってコストの引き下げや省スペース化の余地が残されていた。また、紙幣の収納庫は千円紙幣収納庫と、二千円・５千円・一万円紙幣をまとめて収納する混合紙幣収納庫の二つの紙幣収納庫が設けられるが、釣札として利用できるのは千円紙幣のみで、五千円紙幣の釣札利用ができずに収納紙幣の効率的利用が十分でない問題があった。
【０００８】
本発明は、このような問題に対応するため、紙幣処理装置の構成要素の共通化をさらに進めて小型化を図り、また紙幣の収納庫に収納される五千円紙幣の釣札としての利用を千円紙幣と共に可能にすることで、構成を簡単にしてコストを安くして小型化するとともに、収納紙幣の効率的利用を図ることで使い勝手の良い紙幣処理装置を提供することを目的とするものである。
【課題を解決するための手段】
【０００９】
上記課題を達成するため、請求項１に係る発明は、両面の各々に紙幣の入金部と出金部を配置した紙幣処理装置において、前記入金部の各々に接続されて延設される二つの入金搬送路と、二つの前記入金搬送路の末端を両側に連結するように設けられた紙幣識別計数部と、前記紙幣識別計数部の一方側に連結されて識別された紙幣を一方側の紙幣収納庫に搬送する一方の紙幣搬送路と、前記紙幣識別計数部の他方側に連結されて識別された紙幣を他方側の紙幣収納庫に搬送する他方の紙幣搬送路と、一方及び他方の紙幣搬送路の各々に接続された前記出金部と、を備え、両面の何れか一方に配置された入金部から入金された紙幣を、前記紙幣識別計数部により識別、計数して一方側又は他方側の何れかの前記紙幣収納庫に収納し、一方側又は他方側の何れかの前記紙幣収納庫から繰り出された紙幣を、一方又は他方の前記紙幣搬送路、又は一方又は他方の前記紙幣搬送路及び前記紙幣識別計数部とを介して前記両面の何れか一方に配置される前記出金部に出金するものである。
【００１０】
これによれば、前記両面に配置される入金部に入金された紙幣を、全て一箇所の前記紙幣識別計数部により、識別・計数することができるから、構成要素の共通化をさらに進めることができる。
【発明の効果】
【００１４】
以上説明したように請求項１に係る発明によれば、紙幣識別計数部を一箇所にすることにより構成要素の共通化をさらに進めることができるから、コストを安くすると共に小型の紙幣処理装置を提供することができる。
【図面の簡単な説明】
【００１７】
【図１】本発明の実施例１に係る紙幣処理装置の要部の構成を模式的に示す縦断面図である。
【図２】本発明の実施例２に係る紙幣処理装置の要部の構成を模式的に示す縦断面図である。
【図３】本発明の紙幣処理装置を備えてガソリンスタンド等に設置される給油装置の外観を示す斜視図である。
【発明を実施するための形態】
【００１８】
以下、この発明の紙幣処理装置の実施の形態について、図面を参照して説明する。図１は、本発明の実施例1に係る紙幣処理装置の要部の構成を模式的に示す縦断面図、図２は、本発明の実施例２に係る紙幣処理装置の要部構成を模式的に示す縦断面図、図３は、本発明の紙幣処理装置を備えてガソリンスタンド等に設置される給油装置の外観を示す斜視図である。
【００１９】
本発明の紙幣処理装置1Ａ，1Ｂを備える給油装置１００は、図３に示すようにガソリンや軽油等の複数の油種を正面側及び背面側から顧客自身が操作して給油可能なセルフサービス式の装置であり、両側に給油エリアを有する島状区画に本体ケース１０１が立設されている。この本体ケース１０１内には図示しない給油機構を構成する給油ポンプや流量計等が収納されている。そして、本体ケース１０１の正面側及び背面側には給油ホース１０３が接続された給油ノズル１０２が油種毎に複数並べて掛け置かれている。また、本体ケース１０１内部には、その正面側及びその対応する背面側に紙幣の入金部３ａ，３ｂ、出金部２８ａ，２８ｂがそれぞれ位置するように紙幣処理装置１Ａ，１Ｂが配設されている。
【００２０】
次に、図１に示す本発明の実施例１に係る紙幣処理装置１Ａの構成について説明する。先ず、この紙幣処理装置１Ａは、筐体２の正面側及び背面側の二箇所に配置され複数金種の紙幣を一枚ずつまたは一括で取り込み可能な投入口（入金部）３ａ，３ｂと、同様に正面側及び背面側の二箇所に配置されこの投入口３ａ，３ｂの取込搬送ローラ５ａ，５ｂを駆動する紙幣取込モータ６ａ，６ｂと、正面側及び背面側の投入口３ａ，３ｂに続いてそれぞれ設置された二つの入金搬送路７ａ，７ｂと、この二つの入金搬送路７ａ，７ｂを両側に連結して接続するように設けられ紙幣の金種及び真贋を判別するとともにその枚数を計数する紙幣識別計数部９と、を紙幣の入金、識別手段として備えている。
【００２１】
また、千円紙幣を収納する千円紙幣収納庫（一方側の紙幣収納庫）１１と、千円紙幣収納庫１１に収納される紙幣を繰り出す繰出ローラ１２と、これを駆動する千円繰出モータ１３と、出金リジェクト紙幣を収納する出金リジェクト収納庫１５と、一方の入金搬送路７ａと千円紙幣収納庫１１及び出金リジェクト収納庫１５を接続する一方の紙幣搬送路１６と、五千円紙幣を収納する五千円紙幣収納庫（他方側の紙幣収納庫）１８と、五千円紙幣収納庫１８に収納される紙幣を繰り出す繰出ローラ１９と、これを駆動する五千円繰出モータ２０と、千円紙幣収納庫１１と五千円紙幣収納庫１８の出口にそれぞれ設置され出金紙幣の金種を判別する出金判別センサ２２，２３と、釣銭として使用されない一万円紙幣及び二千円紙幣を収納する万円・二千円収納庫（他方側の紙幣収納庫）２５と、他方の入金搬送路７ｂと五千円紙幣収納庫１８及び万円・二千円収納庫２５を接続する他方の紙幣搬送路２７と、一方及び他方の紙幣収納搬送路１６，２７にそれぞれ接続され正面側及び背面側の二箇所に配置されて払出紙幣を出金する払出口（出金部）２８ａ，２８ｂと、を紙幣の収納、払出手段として備えている。
【００２２】
また、二つの入金搬送路７ａ，７ｂ及び払出口２８ａ，２８ｂの搬送ローラ３１を駆動する搬送モータ３２と、一方及び他方の紙幣搬送路１６，２７の搬送ローラ３５を駆動する紙幣搬送モータ３６と、両面側の投入口３ａ，３ｂに続く入金搬送路７ａ，７ｂ上にそれぞれ設置され、それに続く紙幣搬送路１６，２７への搬送路切り換えを行う投入ゲート３８ａ，３８ｂと、投入ゲート３８ａ，３８ｂを駆動する投入ゲートソレノイド３９ａ，３９ｂと、一方及び他方の紙幣搬送路１６，２７上にそれぞれ設置され払出口２８ａ，２８ｂへの搬送路切り換えを行う払出ゲート４１ａ，４１ｂと、払出ゲート４１ａ，４１ｂを駆動する払出ゲートソレノイド４２ａ，４２ｂと、一方の紙幣搬送路１６上に配置され出金リジェクト収納庫１５への搬送路の切り換えを行う出金リジェクトゲート４４と、出金リジェクトゲート４４を駆動する出金リジェクトゲートソレノイド４５と、他方の紙幣搬送路２７上に設置され万円・二千円収納庫２５への搬送路の切り換えを行う万円・二千円ゲート４６と、万円・二千円ゲート４６を駆動する万円・二千円ゲートソレノイド４７と、を装置の搬送駆動手段として備えている。
【００２３】
次に、このように構成される本発明の実施例1の紙幣処理装置１Ａの動作について説明する。先ず正面側の投入口３ａから千円紙幣を入金する場合の動作を説明する。投入口３ａより入金された千円紙幣は、入金搬送路７ａを搬送され、紙幣識別計数部９を通過して金種及び真贋を判別される。千円紙幣と判別された場合、紙幣識別計数部９を過ぎた位置で一旦停止した後、搬送モータ３２を逆転させてスイッチバック動作を行い、投入ゲート３８ａにより搬送路を切り換え一方の紙幣搬送路１６へ搬送し、千円紙幣収納庫１１内へ収納する。紙幣識別計数部９により贋札と判別された場合は、その紙幣を投入口３ａへ戻す入金リジェクト動作を行う。
【００２４】
次に背面側の投入口３ｂから千円紙幣を入金する場合の動作を説明する。投入口３ｂより入金された千円紙幣は、入金搬送路７ｂを搬送され、紙幣識別計数部９を通過して金種及び真贋を判別される。それが千円紙幣と判別された場合、千円紙幣収納庫１１は順方向にあるため、それを停止すること無く搬送し、投入ゲート３８ａにより搬送路を切り替え一方の紙幣搬送路１６へ搬送し、千円紙幣収納庫１１内へ収納する。なお、紙幣識別計数部９により贋札と判別された場合は、投入口３ｂへ戻す入金リジェクト動作を行う。
【００２５】
次に、それぞれ正面側及び背面側より高額紙幣（二千円、五千円、一万円紙幣）を入金する場合の動作を説明する。高額紙幣を入金する場合、千円紙幣の場合とは逆に、正面側の投入口３ａからの入金動作では、それが真札と判別された場合は入金搬送路７ｂ上で一時停止することなく、投入ゲート３８ｂにより搬送路を切り換え、他方の紙幣搬送路２７まで搬送し、万円・二千円ゲート４６を用いて対応する金額の紙幣を収納する五千円紙幣収納庫１８又は万円・二千円収納庫２５内へ収納する。また、背面側の投入口３ｂからの入金動作では、投入紙幣が真正紙幣と判別された場合は入金搬送路７ａ，７ｂ上にてスイッチバック動作を行い、投入ゲート３８ｂ及び万円・二千円ゲート４６を介して対応する金額の紙幣を収納する五千円紙幣収納庫１８又は万円・二千円収納庫２５へ紙幣を収納する。
【００２６】
次に千円紙幣を出金する場合の動作について説明する。千円紙幣を正面側の払出口２８ａに出金する場合は、千円紙幣収納庫１１より紙幣を一方の紙幣搬送路１６に繰り出し、出金判別センサ２２により金種を確認した後、払出ゲート４１ａを介して正面側の払出口２８ａへ搬送する。また、千円紙幣を背面側の払出口２８ｂに出金する場合は、千円紙幣収納庫１１より紙幣を一方の紙幣搬送路１６に繰り出し、出金判別センサ２２により金種を確認した後、投入ゲート３８ａ、入金搬送路７ａ、紙幣識別計数部９、入金搬送路７ｂ、投入ゲート３８ｂを順に通過させて他方の紙幣搬送路２７まで搬送して停止し、その後スイッチバック動作により払出ゲート２８ｂを介して背面側の払出口２８ｂへ搬送する。なお、千円紙幣収納庫１１より繰り出された紙幣が、出金判別センサ２２により金種が判別できない場合は、出金リジェクトゲート４４により一方の紙幣搬送路１６から直接に出金リジェクト収納庫１５に収納される。そして改めて紙幣が再出金される。
【００２７】
次に五千円紙幣を出金する場合の動作について説明する。五千円紙幣を正面側の払出口２８ａに出金する場合は、五千円紙幣収納庫１８より紙幣を他方の紙幣搬送路２７に繰り出し、出金判別センサ２３により金種を確認した後、投入ゲート３８ｂ、入金搬送路７ｂ、紙幣識別計数部９、入金搬送路７ａ、投入ゲート３８ａを順に介して一方の紙幣搬送路１６まで搬送して停止し、その後スイッチバック動作により払出ゲート２８ａを介して正面側の払出口２８ａへ搬送する。また、五千円紙幣を背面側の払出口２８ｂに出金する場合は、五千円紙幣収納庫１８より紙幣を他方の紙幣搬送路２７繰り出し、出金判別センサ２３により金種を確認した後、払出ゲート４１ｂを介して背面側の払出口２８ｂへ搬送する。なお、五千円紙幣収納庫１８より繰り出された紙幣が、出金判別センサ２３により金種が判別できない場合は、投入ゲート３８ｂ、入金搬送路７ｂ、紙幣識別計数部９、入金搬送路７ａ、投入ゲート３８ａを順に介して一方の紙幣搬送路１６まで搬送して停止し、その後スイッチバック動作により出金リジェクトゲート４４を介して出金リジェクト収納庫１５に収納される。この場合、千円紙幣と同様に改めて紙幣が再出金される。
【００２８】
次に、図２に示す本発明の実施例２に係る紙幣処理装置１Ｂの構成について説明する。なお、実施例１に係る紙幣処理機1Ａと同じ、又は同様のものには同符号を付す。この紙幣処理装置１Ｂは、筐体２の正面側及び背面側の二箇所に配置され複数金種の紙幣を一枚ずつまたは一括で取り込み可能な投入口３ａ，３ｂと、同様に正面側及び背面側の二箇所に配置されこの投入口３ａ，３ｂの取込搬送ローラ５ａ，５ｂを駆動する紙幣取込モータ６ａ，６ｂと、正面側及び背面側の投入口３ａ，３ｂに続いてそれぞれ設置された入金搬送路７ａ，７ｂと、この二つの入金搬送路７ａ，７ｂが合流する合流部８に続いて設けられ紙幣の金種及び真贋を判別するとともにその枚数を計数する紙幣識別計数部９と、を紙幣の入金、識別手段として備えている。
【００２９】
また、千円紙幣を収納する千円紙幣収納庫１１と、千円紙幣収納庫１１に収納される紙幣を繰り出す繰出ローラ１２と、これを駆動する千円繰出モータ１３と、出金リジェクト紙幣を収納する出金リジェクト収納庫１５と、五千円紙幣を収納する五千円紙幣収納庫１８と、五千円紙幣収納庫１８に収納される紙幣を繰り出す繰出ローラ１９と、これを駆動する五千円繰出モータ２０と、千円紙幣収納庫１１及び五千円紙幣収納庫１８の出口に設置され出金紙幣の金種を判別する出金判別センサ５２と、釣銭として使用されない一万円紙幣及び二千円紙幣を収納する万円・二千円収納庫２５と、二つの入金搬送路７ａ，７ｂが合流する合流部８と千円紙幣収納庫１１，出金リジェクト収納庫１５，五千円紙幣収納庫１８，万円・二千円収納庫２５とを紙幣識別計数部９を介して接続する紙幣搬送路５４と、二つの入金搬送路７ａ，７ｂにそれぞれ接続され正面側及び背面側の二箇所に配置されて払出紙幣を出金する払出口２８ａ，２８ｂと、を紙幣の収納、払出手段として備えている。
【００３０】
また、二つの入金搬送路７ａ，７ｂ及び払出口２８ａ，２８ｂの搬送ローラ３１を駆動する搬送モータ３２と、紙幣搬送路５４の搬送ローラ５５を駆動する紙幣搬送モータ５６と、二つの入金搬送路７ａ，７ｂの合流部８に設置され、それに続く紙幣識別計数部９への搬送路切り換え、及び千円紙幣収納庫１１，五千円紙幣収納庫１８から払い出された紙幣の何れか一方の入金搬送路７ａ，７ｂへの切り換えを行う投入ゲート５８と、投入ゲート５８を駆動する投入ゲートソレノイド５９と、入金搬送路７ａ，７ｂ上にそれぞれ設置され払い出される紙幣の搬送路を払出口２８ａ，２８ｂ又投入口３ａ，３ｂへ切り換える払出ゲート６１ａ，６１ｂと、払出ゲート６１ａ，６１ｂを駆動する払出ゲートソレノイド６２ａ，６２ｂと、紙幣搬送路５４上に配置され出金リジェクト収納庫１５への搬送路の切り換えを行う出金リジェクトゲート４４と、出金リジェクトゲート４４を駆動する出金リジェクトゲートソレノイド４５と、紙幣搬送路５４上に設置され万円・二千円収納庫２５への搬送路の切り換えを行う万円・二千円ゲート４６と、万円・二千円ゲート４６を駆動する万円・二千円ゲートソレノイド４７と、紙幣搬送路５４上に設置され千円紙幣収納庫１１と五千円紙幣収納庫１８への搬送路切り換えを行う金庫切換ゲート６４と、金庫切換ゲート６４を駆動する金庫切換ゲートソレノイド６５と、を装置の搬送駆動手段として備えている。
【００３１】
次に、このように構成される本発明の実施例２の紙幣処理装置１Ｂの動作について説明する。先ず投入口３ａ，３ｂから紙幣を入金する場合の動作を説明する。正面側又は背面側の投入口３ａ，３ｂより入金された紙幣は、入金搬送路７ａ，７ｂを搬送され、二つの入金搬送路７ａ，７ｂが合流する合流部８に設けられる投入ゲート５８により紙幣識別係数部９へと搬送され、紙幣識別計数部９により金種及び真贋を判別される。入金紙幣が千円紙幣、又は五千円紙幣と判別された場合、そのまま紙幣搬送路５４を搬送され金庫切換ゲート６４によりその紙幣の金種に対応する千円紙幣収納庫１１又は五千円紙幣収納庫１８内へ収納される。また、入金紙幣が一万円紙幣、又は二千円紙幣と判別された場合は、紙幣搬送路５４を搬送され、その途中に設けられる万円・二千円ゲート４６により万円・二千円収納庫２５に収納される。なお、入金紙幣が贋札と判別された場合は、紙幣搬送路５４をスイッチバック動作させ、投入ゲート５８、入金搬送路７ａ，７ｂ、払出ゲート６１ａ，６１ｂを順に通過して、その紙幣が投入された投入口３ａ，３ｂへ戻す入金リジェクト動作を行う。
【００３２】
次に千円紙幣を出金する場合の動作について説明する。先ず、千円紙幣を正面側又は背面側のいずれか一方の払出口２８ａ、２８ｂに出金する場合は、千円紙幣収納庫１１より紙幣を紙幣搬送路５４に繰り出し、出金判別センサ５２により金種を確認した後、払い出しを予定する何れか一方の払出口２８ａ，２８ｂに通じる何れか一方の入金搬送路７ａ，７ｂへ投入ゲート５８により搬送路を切り換え、それぞれの入金搬送路７ａ，７ｂに設けられる払出ゲート６１ａ、６１ｂにより払い出される紙幣を払出口２８ａ，２８ｂへ搬送する。なお、千円紙幣収納庫１１より繰り出された紙幣が、出金判別センサ５２により金種が判別できない場合は、出金リジェクトゲート４４により紙幣搬送路５４から直接に出金リジェクト収納庫１５に収納される。そして改めて紙幣が再出金される。なお、五千円紙幣を出金する場合の動作も、千円紙幣を出金する場合の動作に準ずるものである。
【００３３】
ところで、このような紙幣処理装置1Ａ，1Ｂにおいては、正面側及び背面側の両面において同時に入出金の操作はできないため、例えば正面側を使用時には、背面側の投入口をシャッターで塞ぐ、「使用中」の表示を行う等により背面側の操作ができないようにする工夫が必要である。また、両面から同時に入金操作がされた場合には、優先する側を設定する必要がある。そして、ガソリンスタンドにおいては、その給油の実態から給油装置の入出金動作が頻繁に行われることは少なく、両面から入出金操作が同時に行われるケースは少ない。そのため、両面から同時に入出金の操作ができない紙幣処理装置を用いる場合も、実使用上の問題となることは少ない。
【００３４】
以上のように、本発明の紙幣処理装置１Ａ，1Ｂにおいては、紙幣識別計数部９を一箇所にすることにより、両面に入出金口を備える紙幣処理装置の構成要素の共通化を進めることができるから、コストを安くすると共に小型の紙幣処理装置を提供することができる。また、紙幣収納庫１１，１８に収納される紙幣の中から、釣札として千円紙幣と五千円紙幣の両方を出金することができるから、収納紙幣の効率的利用を図ることにより使い勝手の良い紙幣処理装置を提供することができる。
【００３５】
さらに、本発明の紙幣処理装置1Ｂにおいては、投入口３ａ，３ｂ及び払出口２８ａ，２８ｂと各紙幣収納庫（千円紙幣収納庫１１，出金リジェクト収納庫１５，五千円紙幣収納庫１８，万円・二千円収納庫２５）を連結する紙幣搬送路５４の構成を一箇所に集約して簡単にすることができるから、安価で小型の紙幣処理装置を提供することができる。
【００３６】
なお、本発明は、言うまでもなく本実施の形態に示す装置にのみ限定されず、その趣旨の包含する範囲で応用変更が可能である。例えば、投入口３ａ，３ｂや払出口２８ａ，２８ｂの形状、或いは千円紙幣収納庫１１，出金リジェクト収納庫１５，五千円紙幣収納庫１８，万延・二千円収納庫２５等の配置形態等は、この実施形態に示すものに限定されるものではなく、状況に応じた実施の形態等に応じて適宜に変更が成されるものである。
【符号の説明】
【００３７】
１Ａ  紙幣処理装置（実施例１）
１Ｂ  紙幣処理装置（実施例２）
３ａ  投入口（入金部（正面側））
３ｂ  投入口（入金部（背面側））
７ａ  入金搬送路
７ｂ  入金搬送路
８  合流部
９  紙幣識別計数部
１１  千円紙幣収納庫（一方側の紙幣収納庫）
１６  一方の紙幣搬送路
１８  五千円紙幣収納庫（他方側の紙幣収納庫）
２５  万円・二千円収納庫（他方側の紙幣収納庫）
２７  他方の紙幣搬送路
２８ａ  払出口（出金部（正面側））
２８ｂ  払出口（出金部（背面側））
【図１】
0005544865.tif 000002
【図２】
0005544865.tif 000003
【図３】
0005544865.tif 000004